(57)【要約】【課題】   アスベストを硬化・無害化し、取り除きやすくするアスベスト処理剤及びそれを用いたアスベスト処理方法と、アスベスト処理剤を用いてアスベストを硬化・無害化し、運搬及びリサイクルをしやすくするアスベスト処理装置を提供する。【解決手段】シリカのアルカリ溶液あるいはアンモニウムイオンを含有するケイ酸塩溶液からなるアスベスト処理剤をアスベストに塗布含浸させて、アスベストを硬化・無害化し、取り除きやすくする。また、シリカのアルカリ溶液あるいはアンモニウムイオンを含有するケイ酸塩溶液とアスベストを投入し、あるいは、硬化・無害化したアスベストを投入して、回転するブレードあるいはドラムあるいはボールで粉砕し、運搬及びリサイクルをしやすくする。【選択図】図２
2008161731.tif 000002
【特許請求の範囲】
【請求項１】
シリカのアルカリ溶液あるいはアンモニウムイオンを含有するケイ酸塩溶液からなることを特徴とするアスベスト処理剤。
【請求項２】
前記シリカがアモルファスシリカ微粒子であることを特徴とする請求項１のアスベスト処理剤。
【請求項３】
前記溶液が水及びアルコール、界面活性剤、無機層状化合物を一種以上含有していることを特徴とする請求項１のアスベスト処理剤。
【請求項４】
前記溶液がナトリウム及びカリウム、リチウム、カルシウム、マグネシウム、アルミニウムのイオンを一種以上含有していることを特徴とする請求項１又は３のアスベスト処理剤。
【請求項５】
前記アルコールがエタノール及びノルマルプロパノール、イソプロパノール、ブタノールのいずれか、または、その混合物であることを特徴とする請求項３のアスベスト処理剤。
【請求項６】
前記界面活性剤がアニオン及びカチオン、ノニオン、両性系の界面活性剤のいずれか、または、その混合物であることを特徴とする請求項３のアスベスト処理剤。
【請求項７】
前記無機層状化合物がモンモリロナイト、ベントナイト、ラポナイト、クニライト、セピオライトのいずれか、または、その混合物であることを特徴とする請求項３のアスベスト処理剤。
【請求項８】
シリカのアルカリ溶液あるいはアンモニウムイオンを含有するケイ酸塩溶液をアスベストに塗布含浸させて、アスベストを硬化・無害化し、取り除きやすくすることを特徴とするアスベスト処理法。
【請求項９】
アスベストを硬化・無害化するために、シリカのアルカリ溶液あるいはアンモニウムイオンを含有するケイ酸塩溶液をアスベストに塗布含浸させた後、炭酸ガスあるいは炭酸水を吹き付けることを特徴とする請求項８のアスベスト処理法。
【請求項１０】
前記溶液をアスベストに塗布含浸させた後、押圧することを特徴とする請求項８及び９のアスベスト処理法。
【請求項１１】
前記溶液をアスベストに塗布含浸させて固化した後、700℃以上に加熱することを特徴とする請求項８及び９及び１０のアスベスト処理法。
【請求項１２】
シリカのアルカリ溶液あるいはアンモニウムイオンを含有するケイ酸塩溶液とアスベスト、あるいは、硬化・無害化したアスベストの投入口と、回転するブレードあるいはドラムあるいはボールと、粉砕された硬化アスベストの排出口を有することを特徴とするアスベスト処理装置。
【発明の詳細な説明】
【技術分野】
【０００１】
本発明は、アスベスト処理剤と、それを使用したアスベスト処理方法及びアスベスト処理装置に関する。
【背景技術】
【０００２】
従来、アスベストは防火性や絶縁性に優れるため、建築用材などに広く大量に使用されてきたが、発癌性があって肺皮腫を引き起こし、深刻な問題となっている。アスベストは建物やコンクリート等に吹き付けて使用されているが、脆く、剥がれやすい。現在、アスベストによる環境汚染や健康被害を防ぐため、アスベストの除去が行われているが、建築物から剥ぎ取る際に粉塵が発生するため、アスベストの処理は作業場をシートで覆い、作業員は防護服を着用するなどして実施する必要があり、非常に作業性の悪いものであった。また、剥ぎ取ったアスベストは嵩高く、ふわふわしていて、運搬や埋め立てをする場合、取扱いが大変難しかった。
【特許文献１】特開２００２−１３７９７６
【発明の開示】
【発明が解決しようとする課題】
【０００３】
本発明は、このようなアスベストを硬化・無害化するとともに取り除きやすくし、粉塵を生ずることなく、取り扱え、運搬及びリサイクルをしやすくするようにするアスベスト処理剤と、それを使用したアスベスト処理法及びアスベスト処理装置を提供することを目的としたものである。
【課題を解決するための手段】
【０００４】
本発明者は、シリカのアルカリ溶液、あるいはアンモニウムイオンを含有するケイ酸塩溶液を、アスベストに塗布含浸させることにより、前記課題を解決できることを見出した。
【０００５】
即ち、本発明のアスベスト処理剤は、シリカのアルカリ溶液あるいはアンモニウムイオンを含有するケイ酸塩溶液からなるものであり、前記溶液としてはシリカあるいはケイ酸塩を０.１〜５０重量％含有するものを使用するのが好ましく、特に０.１〜５重量％含有するものが好ましい。また、前記アルカリ溶液はナトリウム及びカリウム、リチウム、カルシウム、マグネシウム、アルミニウムのイオンを一種以上含有するものが好ましい。さらに、シリカとしてはアモルファスシリカ微粒子が好ましい。
【０００６】
ケイ酸塩だけではアスベストに含浸させてもアスベストを硬化できず、水がかかると溶けてしまうが、本発明では、アンモニウムイオンを添加しているため、アスベストと反応して固化して硬化する。また、シリカのアルカリ溶液をアスベストに含浸させた場合にも、シリカがアスベストと反応して固化して硬化する。この際、炭酸ガスを吹き付けると迅速に硬化させることができる。これによりアスベストが建物や建材から取り除きやすくなり、粉塵を生ずることなく、取り扱うことが可能になった。そして、粉砕して減容することで、運搬しやすくすることができる。
【０００７】
この固化させ硬化させたアスベストは加熱することにより、アスベストの針状結晶が粒状などに変化し、無害化される。加熱温度は700℃以上が好ましい。通常、アスベストは1000℃近くに加熱しないと無害化されないが、本発明の方法ではより低温での無害化処理が可能であり、これによりアスベストのリサイクルをやりやすくすることが可能となる。
【０００８】
前記溶液をアスベストに塗布含浸させる場合、前記溶液にアルコールや界面活性剤を添加すると、アスベストへの含浸・浸透が容易になる。この場合、アルコールとしてはエタノール及びノルマルプロパノール、イソプロパノール、ブタノール、または、その混合物が好ましい。メタノールは有害であり、炭素数がさらに多いアルコールは融点が高いため、使いにくく、アスベストを硬化しにくい。また、界面活性剤としてはアニオン及びカチオン、ノニオン、両性系の界面活性剤、または、その混合物が挙げられる。
【０００９】
また、前記溶液をアスベストに塗布含浸させる場合、前記溶液に無機層状化合物を添加すると粘度が上がり、塗布しやすくなる。この場合、無機層状化合物としてはモンモリロナイト、ベントナイト、マイカ、ラポナイト、クニライト、セピオライトなどが挙げられる。
【００１０】
前記溶液をアスベストに塗布含浸させる方法は特に限定されないが、アスベスト表面のみを硬化するにはスプレー噴霧で十分であるが、全体を固めるためにはスプレー噴霧と同時にノズルや注射器等でアスベスト内部まで含浸させたり、刷毛やロール、コテで塗布したりするのがよい。そして、その際、押圧して、アスベストの空隙を埋め、一体化を促進させることが望ましい。また、塗布した後、その表面に紙やフイルム、シート類を貼付すると、表面からの水の蒸発が抑えられてアスベストに浸透しやすくなる。
【００１１】
かかる本発明の薬剤の使用により、シリカあるいはケイ酸塩がアスベスト内のマグネシウムイオン等と化学反応してガラス固化し、アスベストの無害化が促進される。
【００１２】
即ち、かかる方法で、改質硬化がアスベストの内部にまで拡がり、強固なガラス質層を全体に形成し、アスベストを一体化して、扱いやすくすることができる。
【００１３】
アスベストの処理装置は、シリカのアルカリ溶液あるいはアンモニウムイオンを含有するケイ酸塩溶液とアスベストを投入し、あるいは、硬化・無害化したアスベストを投入して、回転するブレードあるいはドラムあるいはボールで粉砕することにより、アスベスト廃棄物の運搬及びリサイクルをしやすくすることが可能となる。
【発明の効果】
【００１４】
本発明のアスベスト処理剤は液状で、アスベストに噴霧含浸して容易に使用できるので、アスベストが使用されている建築現場あるいは研究室など、規模の大小にかかわらず、どこでも効果的に使用できる。また、本発明のアスベスト処理剤の使用により、アスベストは容易に硬化・無害化されて、粉塵を生ずることなく、取り扱い易いものとなるので、アスベストを使った建築物の解体工事なども、非常に作業性よく実施可能となり、リサイクルも容易となる。本発明のアスベスト処理剤は、解体作業に使用されるだけでなく、アスベスト使用の既存の建築物において、噴霧含浸させることで、アスベスト建材の劣化、中性化を防ぎ、飛散を防止し、スレートなどの建材の耐久性を向上させることが可能となる。また、本発明のアスベスト処理装置は建築物などから剥ぎ取ったアスベストを無害化し減容することができ、アスベスト廃棄物の運搬やリサイクルを容易にすることができる。
【発明を実施するための最良の形態】
【００１５】
次に、本発明の実施の形態を説明するが、これは代表的なものを示したものであり、以下の実施例により本発明が限定されるものではない。
【実施例１】
【００１６】
5重量％の濃度のケイ酸ナトリウムの水酸化アンモニウム水溶液 (pH12)を、アスベスト（白石綿：クリソタイル及び青石綿：クロシドライト）断熱材に噴霧含浸させ、軽く押圧した。その結果、アスベストが全体に硬化し、粉塵を生ずることなく、容易に固化できた。
【実施例２】
【００１７】
7重量％のアモルファスシリカ微粒子を分散した水酸化カリウム水溶液 (pH14)にエタノールを1重量％添加し、建築物解体現場から手に入れたアスベスト（白石綿：クリソタイル及び青石綿：クロシドライト）断熱材に塗布含浸させた。その結果、溶液が断熱材に容易に浸透してアスベストが全体に硬化し、粉塵を生ずることなく、容易に固化することができた。さらに炭酸ガスや炭酸水を吹き付けることで硬化時間をさらに短縮できた。
【実施例３】
【００１８】
6重量％のアモルファスシリカ微粒子を分散した水酸化リチウム水溶液 (pH11)に中性洗剤を0.4重量％添加し、建築物解体現場から手に入れたアスベスト（白石綿：クリソタイル及び青石綿：クロシドライト）断熱材に塗布含浸させた。その結果、溶液が断熱材に容易に浸透してアスベストが全体に硬化し、粉塵を生ずることなく、容易に固化することができた。この固化物を電気炉で700℃に加熱した後、Ｘ線回折の測定を行った結果、アスベストのピークが加熱とともに減少し、無害化されていた。
【実施例４】
【００１９】
7重量％の濃度のケイ酸カリウムの水酸化アンモニウム水溶液(pH13)にベントナイトを0.5重量％添加し、建築物解体現場のアスベスト（白石綿：クリソタイル及び青石綿：クロシドライト）断熱材の壁に塗布含浸させた。その結果、溶液が垂れることなく壁に塗布含浸でき、アスベストが全体に硬化して粉塵を生ずることなく、容易に解体除去できるものとなった。また、ベントナイトの代わりに、モンモリロナイトや、マイカ、ラポナイト、クニライト、セピオライトなどを用いても同様の効果が得られた。
【実施例５】
【００２０】
図１のような、回転するブレードを備えたミキサーに、建築物などから剥ぎ取ったアスベストと本発明のアスベスト処理剤をいれ、充分に攪拌した結果、短時間で全体に含浸させることができた。
【実施例６】
【００２１】
図２のような、回転するドラムを備えたミキサーに、建築物などから剥ぎ取ったアスベストと本発明のアスベスト処理剤をいれ、充分に攪拌した結果、短時間で全体に含浸させることができた。
（比較例１）
【００２２】
ケイ酸ナトリウムの水溶液を、アスベスト（白石綿：クリソタイル及び青石綿：クロシドライト）断熱材に噴霧含浸させ、軽く押圧した。この方法では、一部アスベストの硬化は生じたが、水をかけるとすぐ溶けていき、実用性ある固化の結果を得ることはできなかった。
（比較例２）
【００２３】
エタノールや中性洗剤を使用しないで、実施例２あるいは３の方法を実施した。この方法では、アスベストに溶液が浸透せず。アスベストの表面に変化は認められるが、全体に固化が生ずることはなかった。
（比較例３）
【００２４】
ベントナイトを使用しないで、実施例４の方法を実施した。この方法では、溶液が垂れてアスベストの壁に溶液が浸透せず。アスベストの表面に変化は認められるが、全体に固化が生ずることはなかった。
【産業上の利用可能性】
【００２５】
本発明のアスベスト処理剤はアスベストに含浸させると、アスベストが容易に硬化し粉塵を生ずることなく、取り扱い易いものとなるので、アスベストの固化処理や除去作業、運搬などがしやすくなる。 また、現在は、ほとんどのアスベストは埋め立て処理されているが、本発明のアスベ スト処理剤を含浸させたアスベストは、通常より低い温度での加熱でも無害化できるので、省エネルギーで処理でき、リサイクルも容易となる。
【図面の簡単な説明】
【００２６】
【図１】回転するブレードをもつ、アスベストの処理装置の斜視図
【図２】回転するボールの入った回転するドラムをもつ、アスベストの処理装置の斜視図
【符号の説明】
【００２７】
１  回転するブレード
２  回転するボールの入った回転するドラム
３  投入口
４  蓋    
【図１】
2008161731.tif 000003
【図２】
2008161731.tif 000004